(57)【要約】【課題】ノート型コンピュータなどの表示装置の高さ位置を変更できるようにすることを目的とする。【解決手段】入力キーを有する本体装置２と、本体装置２に回動ピン３１を介して開閉可能に設けられた表示装置５とを備えてなるノート型コンピュータ１において、回動ピン３１に表示装置５を支持するための表示支持体４を取り付け、表示支持体４に表示装置５全体の高さ位置を変更可能にするスライド機構４００を設ける。また、この表示支持体４として、裏板４１の両側にスライド部４２を有するような構成とし、表示装置５全体を保持する。そして、表示装置５を支持する際、そのスライド部４２の溝部４３に表示装置５の側端部５１を押圧するための押圧機構４０を設けるようにする。【選択図】図３
2007122194.tif 000002
【特許請求の範囲】
【請求項１】
入力キーを有する本体装置と、当該本体装置に回動軸を介して開閉可能に設けられた表示装置とを備えてなる折りたたみ可能なコンピュータにおいて、
前記回動軸に前記表示装置を支持するための表示支持体を取り付け、当該表示支持体に表示装置全体の高さ位置を変更可能にするスライド機構を設けたことを特徴とする折りたたみ可能なコンピュータ。
【請求項２】
前記スライド機構が、連続的に表示装置を表示支持体からスライドさせて支持する機構である請求項１に記載の折りたたみ可能なコンピュータ。
【請求項３】
前記スライド機構が、段階的に表示装置を表示支持体からスライドさせて支持する機構である請求項１に記載の折りたたみ可能なコンピュータ。
【請求項４】
前記スライド機構が、上下方向に表示装置をスライドさせた状態で表示装置の仰角を変更できるようにした機構である請求項１から３のいずれか１項に記載の折りたたみ可能なコンピュータ。
【発明の詳細な説明】
【技術分野】
【０００１】
本発明は、ノート型コンピュータなどのように本体装置と表示装置を折りたたむことのできるコンピュータに関するものであり、より詳しくは、表示装置の高さ位置を変更できるようにした折りたたみ可能なコンピュータに関するものである。
【背景技術】
【０００２】
一般のノート型コンピュータは、キーボードやＣＰＵ、メモリ、ハードディスクなどを備えた本体装置と、この本体装置にヒンジ機構を介して折り畳み可能に設けられた表示装置とを備えて構成されている。このようなノート型コンピュータは、近年では表示装置の高解像度化やバッテリーの時間化に伴って益々小型化されてきており、最近では、Ｂ５サイズ以下のノート型コンピュータも多々存在するようになってきている。
【０００３】
ところで、このようにノート型コンピュータの小型化が進むと、持ち運びに便利になる一方、キーボードのキー寸法が小さくなるために、入力作業が困難になってしまう。また、表示装置が小さくなり、その高さ位置も低くなって姿勢を丸くしなければ文字などが見えづらくなるといった問題を生じている。
【０００４】
このような問題を解決するために、近年では、下記の特許文献１や特許文献２などに示すように、表示装置を大きいものに交換できるようにしたノート型コンピュータが提案されている。このノート型コンピュータは、キーボードを有する本体装置にヒンジ機構を介してパネル支持体を取り付け、そのパネル支持体に種々の異なる表示装置を着脱できるようにしたものである。このように表示装置を着脱できるようにすると、ユーザは自己の好みに応じた大きさの表示装置を取り付けることができるため、入力した文字などを見やすくすることなどができる。
【特許文献１】特開平５−１９７４４７号公報
【特許文献２】特開平１１−２５９００３号公報
【発明の開示】
【発明が解決しようとする課題】
【０００５】
しかしながら、このように表示装置を取り替えられるようにした装置であっても、次のような問題を生ずる。すなわち、上述のような表示装置を取り替えられるようにした装置では、あらかじめ種類の異なる表示装置を複数用意しておかなければならず、別途新たな購入費用を生ずる。また、仮に大きな表示装置を取り付けていたとしても、ヒンジ付近に表示装置が存在するために、その部分の表示内容を見ようとすると、やはり姿勢を丸くしなければ文字などを見ることが難しいといった問題を生ずる。
【０００６】
そこで、本発明は上記課題に着目してなされたもので、本体装置と表示装置を折り畳み可能にしたコンピュータにおいて、表示装置を全体的に高くすることのできるようなコンピュータを提供することを目的とするものである。
【課題を解決するための手段】
【０００７】
すなわち、本発明は上記課題を解決するために、入力キーを有する本体装置と、当該本体装置に回動軸を介して開閉可能に設けられた表示装置とを備えてなる折りたたみ可能なコンピュータにおいて、前記回動軸に前記表示装置を支持するための表示支持体を取り付け、当該表示支持体に表示装置全体の高さ位置を変更可能にするスライド機構を設けたものである。
【０００８】
このようにすれば、表示装置が全体的に上下方向にスライドするので、表示装置の下端近傍に表示された文字などを見る場合に高い位置で見ることができるようになる。しかも、表示装置を閉じる場合は、表示装置を元の位置に戻して本体装置と重なるように折りたためば、コンパクトな状態で持ち運びすることができるようになる。
【０００９】
また、このようなスライド機構として、連続的に表示装置を表示支持体からスライドさせて支持する機構を採用する。
【００１０】
このようにすれば、表示装置を任意の高さ位置に固定することができるので、個々のユーザの高さ位置に表示装置を設定することができる。
【００１１】
また、別のスライド機構として、段階的に表示装置を表示支持体からスライドさせて支持する機構を採用する。
【００１２】
このようにすれば、段階的に表示装置を支持させることができるので、その位置で表示装置をしっかりと固定することができ、自重によって表示装置がずれてくるようなことがなくなる。しかも、段階的に表示装置をスライドさせれば、左右の高さ位置を正確に一致させることができ、水平な状態で表示装置を固定することができるようになる。
【００１３】
また、他のスライド機構として、上下方向に表示装置をスライドさせた状態で表示装置の仰角を変更できるような機構を採用する。
【００１４】
このようにすれば、表示装置を上下方向にスライドさせるだけでなく、表示装置を高くスライドさせた状態で仰角を変更すれば、表示装置の位置や角度に自由度を持たせることができるようになる。これにより、例えば、蛍光灯の光が反射して画面が見えにくい状態である場合に、その表示装置を前方にずらして表示装置の仰角を変更することなどができるようになる。
【発明の効果】
【００１５】
本発明では、入力キーを有する本体装置と、当該本体装置に回動軸を介して開閉可能に設けられた表示装置とを備えてなる折りたたみ可能なコンピュータにおいて、前記回動軸に前記表示装置を支持するための表示支持体を取り付け、当該表示支持体に表示装置全体の高さ位置を変更可能にするスライド機構を設けるようにしたので、表示装置の下端近傍に表示された文字などについても高い視線で見ることができるようになる。しかも、表示装置を閉じる場合は、表示装置を元の位置に戻して本体装置と重なるように折りたたむことができるので、コンパクトな状態で持ち運びすることができるようになる。
【発明を実施するための最良の形態】
【００１６】
以下、本発明の一実施の形態について図面を参照して説明する。
【００１７】
この実施の形態におけるコンピュータは、折りたたみ可能なノート型コンピュータ１などによって構成されるもので、表面に入力キーを配列した本体装置２と、ヒンジ機構３によって保持された表示支持体４と、その表示支持体４によって保持された表示装置５とを備えて構成される。図１にそのノート型コンピュータ１の正面図を示しており、図２にその表示装置５と表示支持体４の平面図を示している。
【００１８】
このノート型コンピュータ１の本体装置２は、表面に複数の入力キーを備えており、また、その内部にＣＰＵやメモリ、ハードディスクなどの各種電子部品を備えている。さらに、前面部や側面部などには、ＵＳＢ接続端子や、ＣＤ−ＤＶＤディスク装置、ＰＣＭＣＩＡ準拠のカードを挿入するための挿入口などを備えている。
【００１９】
また、ヒンジ機構３は、本体装置２の端部近傍に設けられ、軸受部３２に挿通された回動ピン３１によって表示装置５を回動できるようにしている。この回動ピン３１や軸受部３２には、本体装置２によって入力された情報を表示装置５に出力するための図示しないケーブルが挿通されている。
【００２０】
表示支持体４は、回動ピン３１によって本体装置２に対して回動可能に支持され、また、本体装置２から開けられた状態で表示装置５を上下方向にスライド可能に支持する。この実施の形態では、表示支持体４を、図２や図３などに示すように、一枚の裏板４１と、この裏板４１の両側端から前方に突出して設けられたスライド部４２とを一体的に備えている。この裏板４１は、表示装置５の裏面全体を支持できるように一枚の板材によって構成され、これによって表示装置５や表示支持体４の捻れや撓みなどを防止できるようにしている。また、スライド部４２には、上下方向に沿った溝部４３が設けられており、この溝部４３に表示装置５の側端部５１を挟み込んでスライドできるようにしている。
【００２１】
この溝部４３の構成について詳細に説明すると、この溝部４３に沿って表示装置５をスライドさせた場合、その表示装置５の自重によって固定された位置から下方へずれてしまう可能性がある。このためこの実施の形態では、表示装置５のずれを防止するために、図４に示すように、表示装置５の側端部５１を押圧する押圧機構４０を備えるようにしている。この押圧機構４０は、図４（ａ）に示すように、溝部４３の底面に設けられた孔部４４と、その孔部４４内に設けられたスプリング４５と、そのスプリング４５の先端部分に取り付けられたボール４６とを備えて構成され、そのスプリング４５の押圧力によって表示装置５の側端部５１を押圧してずれを防止できるようにしている。なお、図４（ａ）のように表示装置５の側端部５１の形状を平坦にしておいた場合は、表示装置５の高さ位置を連続的に変更することができるようになる反面、押圧機構４０による押圧力が小さかった場合は、ボール４６が滑って表示装置５が全体的に下方へずれてしまい、もしくは、表示装置５が左右のいずれか一方が下方にずれて傾いてしまう可能性がある。そこで、他の実施の形態として、図４（ｂ）に示すように、表示装置５の両方の側端部５１に一定間隔おきにボール４６が嵌め込まれる凹部５２を設けておき、この凹部５２にボール４６を嵌合させるようにしてもよい。このようにすれば、その嵌合によって表示装置のずれや傾斜などを防止することができるようになる。
【００２２】
一方、表示装置５は、表示支持体４に支持されるもので、例えば、ＴＦＴ方式の液晶パネルや、ＸＧＡ方式の液晶ディスプレイなどによって構成される。この表示装置５には、本体装置２からのケーブルが接続されるが、この実施の形態では、表示装置５の下端部分からケーブルを延出させておき、このケーブルを湾曲もしくは屈曲させることによって表示支持体４との隙間にケーブルを収納できるようにしている。もしろん、表示装置５の側方にケーブルを接続するようにしてもよい。
【００２３】
上述のように第一の実施の形態によれば、表示装置５を全体として上下方向にスライドできるようにしたので、表示装置５の下端近傍に表示された文字などを高い位置でユーザに見せることができる。しかも、この実施の形態では、表示装置５全体を裏板４１で支持させるようにしているので、表示装置５や表示支持体４の捻れや撓みを防止することができ安定して表示装置５を支持することができるようになる。
【００２４】
次に、第二の実施の形態におけるノート型コンピュータ１ｂの構成について図５に説明する。この第二の実施の形態のノート型コンピュータ１ｂは、第一の実施の形態と同様に、表面にキーを配列した本体装置２と、ヒンジ機構３によって保持された表示支持体４と、その表示支持体４によって保持された表示装置５とを備えているが、表示支持体４のスライド機構４００を変えるようにしたものである。なお、本体装置２やヒンジ機構３の構成については第一の実施の形態と同様であるため詳細な説明を省略する。
【００２５】
この実施の形態におけるスライド機構４００は、表示支持体４の側方に設けられたスライド部４２に操作ダイヤル４０２を設け、これによって表示装置５の高さ位置を変更できるようにしたものである。第一の実施の形態では、表示装置５を上方にスライドさせる際、表示装置５を手でつかんでスライドさせる必要があったが、このように手で触る方法であると、表示装置５の表面に指紋などが付いて表示装置が汚れてしまう可能性がある。そこで、この実施の形態では、表示装置５を触ることなく高さ位置を変更できるようにしたものである。
【００２６】
この第二の実施の形態におけるスライド機構４００の具体的な構成について説明すると、このスライド機構４００は、図５に示すように、ラック５３とピニオン４０１の機構を備えている。ピニオン４０１は、表示支持体４のスライド部４２に設けられており、また、ラック５３は、表示装置の側端部５１に設けられている。そして、これらのラック５３とピニオン４０１を噛み合わせ、さらに、ピニオン４０１に操作ダイヤル４０２を噛み合わせて操作することにより、表示装置５を上下方向にスライドさせるようにしている。
【００２７】
このように構成すれば、表示装置５を触ることなくその表示装置５の高さ位置を変更することができるため、表示装置５に指紋などを付着するようなことがなくなる。
【００２８】
なお、このスライド機構４００については、ラック５３とピニオン４０１以外の構成として、例えば、ウォームギアや傘歯車などを用いた機構なども採用することもできる。また、図５では、操作ダイヤル４０２を手動で回転させるようにしているが、この操作ダイヤル４０２もしくはピニオン４０１などをモータで回転させるようにしてもよい。
【００２９】
次に、第三の実施の形態について説明する。第三の実施の形態のノート型コンピュータ１ｃは、図６に示すように、本体装置２の両側端部５１にヒンジ機構３の回動ピン３１を取り付け、その回動ピン３１に長尺状の一枚の表示支持体４ｃを取り付けるようにしたものである。
【００３０】
この表示支持体４ｃの構成について説明すると、表示支持体４ｃは、薄い金属板によって構成されるもので、回動ピン３１から延出する長尺部４ｃ１と、この長尺部の内側に長手方向に沿って設けられた長孔４ｃ２とを設けるようにしている。そして、その長孔４ｃ２の範囲内でネジ部材４ｃ３を表示装置５の側端部５１に螺着させ、これによって表示装置５を任意の高さ位置で固定できるようにしている。この表示支持体４ｃは、本体装置２の左右両側に設けられ、しかも、それぞれが一体となって開閉できるように連結部材４ｃ４で連結されている。このような連結部材４ｃ４で連結すると、表示装置５を開閉する際、左右の表示支持体４ｃを同時に回動させることができるため、捻れや撓みなどを防止することができるようになる。
【００３１】
上述のように第三の実施の形態によれば、長孔４ｃ２の範囲内でネジ部材４ｃ３を螺着させることによって表示装置５を任意の高さ位置で固定することができるため、比較的簡単な構成で表示装置５の高さ位置を変更することができるようになる。しかも、一本のネジ部材４ｃ３によって表示装置５を固定した場合は、図７（ａ）のように、表示装置５を上下方向にスライドさせることができるばかりでなく、その位置でネジ部材４ｃ３を中心に表示装置５を回転させることによって表示装置５の仰角をユーザの見やすい角度に設定することができるようになる。しかも、このように仰角を変えることができるばかりでなく、例えば、図７（ｂ）に示すように、表示支持体４ｃを前方に倒した状態でネジ部材４ｃ３を中心として表示装置５の仰角を変えれば、表示装置５を前方にずらした状態で表示内容をユーザに視認させることができるようになる。
【００３２】
なお、この第三の実施の形態では、図８に示すように、表示支持体４ｃを一枚の金属板で構成しているが、これを２つの金属板に分離して構成してもよい。この場合、例えば、ヒンジ機構３を構成する回動ピン３１側に小さな第一の表示支持体４ａを設け、さらに、この第一の表示支持体４ａの上端を中心に回転する第二の表示支持体４ｂを設けるようにする。このようにすれば、表示装置５を折りたたむ際に、図８（ａ）（ｂ）に示すように、第一の表示支持体４ａと第二の表示支持体４ｂとを折りたたむことができるので、表示支持体４ｃを小さく構成した場合であっても簡単に表示装置５を折り畳むことができるようになる。
【００３３】
また、この第三の実施の形態では、一本のネジ部材４ｃ３によって表示装置５のスライド位置を設定するようにしているが、これを上下に設けられた複数のネジ部材で表示装置を固定してもよい。このように複数のネジ部材で固定した場合は、表示装置５をしっかりと固定することができる。
さらには、この第三の実施の形態では、回動ピン３１や表示支持体４ｃを本体装置２の側方から露出させるようにしているが、本体装置２や表示支持体４ｃの内部に隠すようにしてもよい。
【００３４】
このように、これらの実施の形態によれば、入力キーを有する本体装置２と、当該本体装置２に回動ピン３１を介して開閉可能に設けられた表示装置５とを備えてなるノート型コンピュータ１において、回動ピン３１に表示装置５を支持するための表示支持体４、４ｃを取り付け、表示支持体４、４ｃに表示装置５全体の高さ位置を変更可能にするスライド機構４００を設けるようにしたので、表示装置５の下端近傍に表示された文字などについて高い視線で視認することができる。しかも、表示装置５を閉じる場合は、表示装置５を元の低い位置に戻して本体装置２と重なるように折りたたむことができるため、コンパクトな状態で持ち運ぶことができる。
【００３５】
また、このようなスライド機構４００として、連続的に表示装置５をスライドさせて支持する機構を採用したので、任意の高さ位置に表示装置５を固定することができるため、ユーザの好みに合った高さ位置に表示装置５を固定することができるようになる。
【００３６】
さらには、別の実施の形態におけるスライド機構４００として、段階的に表示装置５をスライドさせて支持する機構を採用したので、表示支持体４の両側にボール４６が嵌合する凹部５２を対称に設けておくことにより、表示装置５を水平な状態でしっかりと固定することができるようになる。
【００３７】
また、他のスライド機構４００として、上下方向に表示装置５をスライドさせた状態で表示装置５の仰角を変更できるようにしたので、表示装置５を上下方向にスライドさせるだけでなく、表示装置５を高くした状態で回転させれば、表示装置５の位置や角度に自由に変更することができるようになる。これにより、例えば、蛍光灯の光が反射して画面が表示内容が見えにくい状態であっても、その表示装置５を前方にずらして仰角を変更して見やすい状態とすることができる。
【００３８】
なお、本発明は上記実施の形態に限定されることなく、種々の態様で実施することができる。
【００３９】
例えば、上記実施の形態では、ノート型コンピュータ１を例に挙げて説明したが、これに限らず、入力キーを有する本体装置と表示装置とが折りたたみ可能に構成されたコンピュータであればどのような装置に適用してもよい。例えば、折りたたみ可能に構成されたＰＤＡやゲーム機器、携帯電話などに適用することができる。
【００４０】
また、上記実施の形態では、表示支持体４、４ｃに設けられた溝部４３や長孔４ｃ２に沿って表示装置５をスライドさせるようにしているが、本質的には表示装置５を全体的に高い位置に変更できるようにするものであればよく、例えば、リンク機構などを採用して表示装置５を全体的に上下方向に移動させるようにしてもよい。
【図面の簡単な説明】
【００４１】
【図１】本発明の第一の実施の形態におけるノート型コンピュータを示す正面図
【図２】同形態におけるノート型コンピュータの表示装置および表示支持体を示す平面図
【図３】同形態における表示装置をスライドさせた状態を示す図
【図４】第一の実施の形態における他のスライダ機構を示す図
【図５】本発明の第二の実施の形態を示すノート型コンピュータのスライダ機構を示す図
【図６】本発明の第三の実施の形態を示すノート型コンピュータの表示保持体を示す図
【図７】第三の実施の形態における表示保持体を用いた表示装置の状態を示す図
【図８】第三の実施の形態における他の表示支持体を用いてノート型コンピュータを折りたたんだ状態を示す図
【符号の説明】
【００４２】
１、１ｂ、１ｃ・・・折りたたみ可能なコンピュータ（ノート型コンピュータ）
２・・・本体装置
３・・・ヒンジ機構
３１・・・回動ピン
３２・・・軸受部
４、４ｃ・・・表示支持体
４ｃ１・・・長尺部
４ｃ２・・・長孔
４ｃ３・・・ネジ部材
４ｃ４・・・連結部材
４ａ・・・第一の表示支持体
４ｂ・・・第二の表示支持体
４０・・・押圧機構
４１・・・裏板
４００・・・スライド機構
４２・・・スライド部
４０１・・・ピニオン
４０２・・・操作ダイヤル
４３・・・溝部
４４・・・孔部
４５・・・スプリング
４６・・・ボール
４７・・・長孔
４８・・・ネジ部材
５・・・表示装置
５１・・・側端部
５２・・・凹部
５３・・・ラック
【図１】
2007122194.tif 000003
【図２】
2007122194.tif 000004
【図３】
2007122194.tif 000005
【図４】
2007122194.tif 000006
【図５】
2007122194.tif 000007
【図６】
2007122194.tif 000008
【図７】
2007122194.tif 000009
【図８】
2007122194.tif 000010